(57)【特許請求の範囲】
【請求項１】
情報記録媒体と、データに記録信号処理を施す記録信号処理部と、記録信号処理が施されたデータを該情報記録媒体へ記録する記録実行部と、該情報記録媒体から記録されたデータを再生する再生実行部と、記録されたデータに再生信号処理を施し、データを復元する再生信号処理部と、復元されたデータに再圧縮を施し前記記録信号処理部に送る再圧縮実行部と、記録されるデータの管理データを生成するとともに、少なくとも記録実行部、再生実行部および再圧縮実行部の動作を管理する管理部と、を有し、
前記管理部は、記録時、または記録後に所望の記録データの一定単位ごとに、管理データとして再圧縮設定フラグを前記記録実行部により付加・記録し、前記管理部が必要と判断したとき、該再圧縮設定フラグが付加された記録データを、前記再圧縮実行部により再圧縮して再記録し、再圧縮前の記録データが記録されている領域を開放することを特徴とする情報記録再生装置。
【請求項２】
前記再圧縮設定フラグが付加された記録データを、前記再圧縮実行部により再圧縮して再記録し、再圧縮前の記録データが記録されている領域を開放した後に、さらに前記再圧縮設定フラグが付加されていない記録データを、前記再圧縮実行部により再圧縮して再記録し、再圧縮前の記録データが記録されている領域を開放することを特徴とする請求項１記載の情報記録再生装置。
【請求項３】
前記管理部は、管理データとして再圧縮を禁止する再圧縮禁止設定フラグを前記記録実行部により付加・記録することを特徴とする請求項１記載の情報記録再生装置。
【請求項４】
情報記録媒体と、データに記録信号処理を施す記録信号処理部と、記録信号処理が施されたデータを該情報記録媒体へ記録する記録実行部と、該情報記録媒体から記録されたデータを再生する再生実行部と、記録されたデータに再生信号処理を施し、データを復元する再生信号処理部と、復元されたデータに再圧縮を施し前記記録信号処理部に送る再圧縮実行部と、記録されるデータの管理データを生成するとともに、少なくとも記録実行部、再生実行部および再圧縮実行部の動作を管理する管理部と、を有し、
前記管理部は、記録時、または記録後に所望の記録データの一定単位ごとに、管理データとして再圧縮の順序を規定するｎ段階（ｎは２以上の整数）の再圧縮順序設定フラグを前記記録実行部により付加・記録し、前記管理部が必要と判断したとき、再圧縮の順序の早い方から前記再圧縮順序設定フラグが付加された記録データを再圧縮して再記録し、再圧縮前の記録データが記録されている領域を開放することを特徴とする情報記録再生装置。
【請求項５】
前記管理部は、記録時、または記録後に所望の記録データの一定単位ごとに、管理データとして、前記再圧縮順序設定フラグの他に、再圧縮禁止を規定する再圧縮禁止設定フラグを、前記記録実行部により付加・記録することを特徴とする請求項４記載の情報記録再生装置。
【請求項６】
前記情報記録媒体上の未記録領域の容量が一定値を下回ったとき、前記管理部が必要と判断し、再圧縮を実行することを特徴とする、請求項１から５のいずれか１項に記載の情報記録再生装置。
【請求項７】
前記情報記録媒体上の未記録領域における今後記録可能な時間が一定値を下回ったとき、前記管理部が必要と判断し、再圧縮を実行することを特徴とする、請求項１から５のいずれか１項に記載の情報記録再生装置。
【請求項８】
タイマー録画により前記情報記録媒体にデータを記録する場合において、前記管理部が、予約された記録総時間分の番組を記録しようとすると、未記録領域がオーバーフローするとき、前記管理部が必要と判断し、再圧縮を実行することを特徴とする、請求項１から５のいずれか１項に記載の情報記録再生装置。
【請求項９】
一の再圧縮順番の、再圧縮順序設定フラグが付加された記録データを再圧縮して再記録し、再圧縮前の記録データが記録されている領域を開放した後、開放された領域では記録容量が不足する場合に、該一の再圧縮順番の次の順番の、再圧縮順序設定フラグが付加された記録データを再圧縮して再記録し、再圧縮前の記録データが記録されている領域を開放することを特徴とする請求項４又は請求項５記載の情報記録再生装置。
【請求項１０】
再圧縮順序が最も早い再圧縮順序設定フラグが付加された記録データを再圧縮するときのビットレートから、再圧縮順序が最も遅い再圧縮順序設定フラグが付加された記録データを再圧縮するときのビットレートまでを、再圧縮順序が遅くなるに従って、より高いビットレートとなるように設定することを特徴とする、請求項４から請求項９のいずれか１項に記載の情報記録再生装置。
【請求項１１】
情報記録媒体の残記録容量が一定値以下になったとき、再圧縮順序の早い順に、再圧縮順序設定フラグが付加された記録データについて第１のビットレートへの再圧縮を開始し、再圧縮後の再記録が終了し、新しい記録データの記録中に再度残記録容量が一定値以下になったとき、再圧縮順序の早い順に、再圧縮順序設定フラグが付加された記録データについて該第１のビットレートより低い第２のビットレートへの再圧縮を開始し、この操作を第ｍ（ｍは２以上の整数）の規定のビットレートになるまで繰り返すことを特徴とする、請求項４から請求項９のいずれか１項に記載の情報記録再生装置。
【請求項１２】
情報記録媒体の残記録容量が一定値以下になったとき、再圧縮順序の早い順に、再圧縮順序設定フラグが付加された記録データについて第１の規定のビットレートの組み合わせへの再圧縮を開始し、再圧縮後の再記録が終了し、新しい記録データの記録中に再度残記録容量が一定値以下になったとき、再圧縮順序の早い順に、該第１の規定のビットレートより低い第２の規定のビットレートの組み合わせへの再圧縮を開始し、この操作を再圧縮順序の早い順に第ｍ（ｍは２以上の整数）の規定のビットレートの組み合わせになるまで繰り返すことを特徴とする、請求項１０記載の情報記録再生装置。
【請求項１３】
所望の記録データの一定単位ごとに、管理データとして記録データの消去を可能とする消去設定フラグが追加され、すべての再圧縮順序設定フラグが付加された記録データの再圧縮が行われる前に、該消去設定フラグの付加された記録データが記録されている領域が開放されることを特徴とする、請求項４から請求項１２のいずれか１項に記載の情報記録再生装置。
【請求項１４】
前記再圧縮設定フラグの付加を、手動で設定することを特徴とする、請求項１から請求項３のいずれか１項に記載の情報記録再生装置。
【請求項１５】
前記再圧縮順序設定フラグの付加を、手動で設定することを特徴とする、請求項４、請求項５及び請求項９のいずれか１項に記載の情報記録再生装置。
【請求項１６】
前記再圧縮禁止設定フラグの付加を、手動で設定することを特徴とする、請求項３又は請求項５記載の情報記録再生装置。
【請求項１７】
前記消去設定フラグの付加を、手動で設定することを特徴とする、請求項１３記載の情報記録再生装置。
【請求項１８】
前記管理部は、設定された判断基準に基づいて、前記再圧縮設定フラグの付加を行うことを特徴とする、請求項１から請求項３のいずれか１項に記載の情報記録再生装置。
【請求項１９】
前記管理部は、設定された判断基準に基づいて、前記再圧縮順序設定フラグの付加を行うことを特徴とする、請求項４、請求項５及び請求項９のいずれか１項に記載の情報記録再生装置。
【請求項２０】
前記管理部は、設定された判断基準に基づいて、前記再圧縮禁止設定フラグの付加を行うことを特徴とする、請求項３又は請求項５記載の情報記録再生装置。
【請求項２１】
前記管理部は、設定された判断基準に基づいて、前記消去設定フラグの付加を行うことを特徴とする、請求項１３記載の情報記録再生装置。
【請求項２２】
前記判断基準は、前記管理部にあらかじめ登録されたユーザーが好みのジャンルの順序であることを特徴とする、請求項１８から請求項２１のいずれか１項に記載の情報記録再生装置。
【請求項２３】
前記判断基準は、前記管理部が、ユーザーが記録再生するデータから読み取ったジャンルより判定する、該ユーザが好むジャンルの順序であることを特徴とする、請求項１８から請求項２１のいずれか１項に記載の情報記録再生装置。
【請求項２４】
前記管理部は、ユーザーが、あるジャンルのデータを記録した総時間に所定の係数Ａを乗じ、再生した総時間に所定の係数Ｂを乗じ、それらを加算し、そのデータをユーザーがそのジャンルを好む値として、それに従ってジャンルの順序を規定し、
前記判断基準はそのジャンルの順序であることを特徴とする、請求項１８から請求項２１のいずれか１項に記載の情報記録再生装置。
【請求項２５】
前記判断基準は、あらかじめ規定された、ジャンルによる情報量の大きさの順序であることを特徴とする、請求項１８から請求項２１のいずれか１項に記載の情報記録再生装置。
【請求項２６】
前記判断基準は、記録データの情報量の大きさであることを特徴とする、請求項１８から請求項２１のいずれか１項に記載の情報記録再生装置。
【請求項２７】
初回圧縮時、ＭＰＥＧ（Ｍｏｖｉｎｇ  Ｐｉｃｔｕｒｅ  Ｅｘｐｅｒｔ  Ｇｒｏｕｐ）圧縮方式において、ＭＢ（マクロブロック）単位で、ＤＣＴ変換、量子化、可変長符号化後のビット数に、ＱＳＣ（量子化スケールコード）で示される量子化スケール値を乗じ、それを１画面に渡って加算し、さらに必要な画面に渡って加算した値を、記録データの情報量とすることを特徴とする、請求項２６記載の情報記録再生装置。
【請求項２８】
ＭＰＥＧ圧縮方式により圧縮されたストリームを、ＭＢ単位で、可変長復号化前のビット数に、ＱＳＣ（量子化スケールコード）で示される量子化スケール値を乗じ、それを１画面に渡って加算し、さらに必要な画面に渡って加算した値を、記録データの情報量とすることを特徴とする、請求項２６記載の情報記録再生装置。
【請求項２９】
初回圧縮時、ブロック単位で、輝度信号の値から当該ブロックの輝度信号の平均値を減算した結果を２乗し、それを１ブロックに渡って加算し、６４で除算し、ＭＢを構成するブロックの中で前記値のうち最小値を代表値としてそれに１を加算し、当該マクロブロックの情報量とし、それを１画面に渡って加算し、さらに必要な画面に渡って加算した値を、記録データの情報量とすることを特徴とする、請求項２６記載の情報記録再生装置。
【請求項３０】
ＭＰＥＧ圧縮方式により圧縮されたストリームを可変長復号化、逆量子化、逆ＤＣＴ変換、動き補償し、ブロック単位で、輝度信号の値から当該ブロックの輝度信号の平均値を減算した結果を２乗し、それを１ブロックに渡って加算し、６４で除算し、ＭＢを構成するブロックの中で前記値のうち最小値を代表値としてそれに１を加算し、当該マクロブロックの情報量とし、それを１画面に渡って加算し、さらに必要な画面に渡って加算した値を、記録データの情報量とすることを特徴とする、請求項２６記載の情報記録再生装置。
【請求項３１】
仮消去されたデータを再圧縮設定フラグにおける再圧縮設定とすることを特徴とする、請求項１８、請求項２２から請求項３０のいずれか１項に記載の情報記録再生装置。
【請求項３２】
仮消去されたデータを再圧縮順序設定フラグにおける再圧縮順序の早い順序とすることを特徴とする、請求項１９、請求項２２から請求項３０のいずれか１項に記載の情報記録再生装置。
【請求項３３】
仮消去されたデータを消去設定フラグにおける消去設定とすることを特徴とする、請求項２１から請求項３０のいずれか１項に記載の情報記録再生装置。
【請求項３４】
仮消去されたデータを含む、連続して記録されたデータを再圧縮設定フラグにおける再圧縮設定とすることを特徴とする、請求項１８、請求項２２から請求項３０のいずれか１項に記載の情報記録再生装置。
【請求項３５】
仮消去されたデータを含む、連続して記録されたデータを再圧縮順序設定フラグにおける再圧縮順序の早い順序とすることを特徴とする、請求項１９、請求項２２から請求項３０のいずれか１項に記載の情報記録再生装置。
【請求項３６】
仮消去されたデータを含む、連続して記録されたデータを消去設定フラグにおける消去設定とすることを特徴とする、請求項２１から請求項３０のいずれか１項に記載の情報記録再生装置。
【請求項３７】
記録済データを再生し、再圧縮し、再記録開始する時点と、入力データを再圧縮後に相当する新しいビットレートで記録開始する時点をずらすことを特徴とする、請求項１から請求項３６のいずれか１項に記載の情報記録再生装置。
【請求項３８】
入力したデータを複数のビットレートで情報記録媒体へ同時に記録するとともに、記録データを情報記録媒体へ記録する時、または記録した後に一のビットレートの所望の記録データの一定単位ごとに、管理データとして再圧縮設定フラグを付加・記録し、
記録すべき領域の容量が不足するときに、該再圧縮設定フラグが付加された記録データを開放することを特徴とする情報記録再生方法。
【請求項３９】
入力したデータを複数のビットレートで情報記録媒体へ同時に記録するとともに、記録データを情報記録媒体へ記録する時、または記録した後に一のビットレートの所望の記録データの一定単位ごとに、管理データとして再圧縮の順序を規定するｎ段階（ｎは２以上の整数）の再圧縮順序設定フラグを付加・記録し、
記録すべき領域の容量が不足するときに、再圧縮の順序の早い方から前記再圧縮順序設定フラグが付加された記録データを開放することを特徴とする情報記録再生方法。
【請求項４０】
複数のビットレートの複数のデータに相当する管理データを同時に発生し、記録することを特徴とする、請求項３８又は請求項３９に記載の情報記録再生方法。
【請求項４１】
記録データを情報記録媒体へ記録する時、または記録した後に所望の記録データの一定単位ごとに、管理データとして再圧縮設定フラグを付加・記録し、記録すべき領域の容量が不足するとき、該再圧縮設定フラグが付加された記録データを再圧縮して再記録し、再圧縮前の記録データが記録されている領域を開放することを特徴とする情報記録再生方法。
【請求項４２】
記録データを情報記録媒体へ記録する時、または記録した後に所望の記録データの一定単位ごとに、管理データとして再圧縮の順序を規定するｎ段階（ｎは２以上の整数）の再圧縮順序設定フラグを付加・記録し、記録すべき領域の容量が不足するとき、再圧縮順序の早い方から該再圧縮順序設定フラグが付加された記録データを再圧縮して再記録し、再圧縮前の記録データが記録されている領域を開放することを特徴とする情報記録再生方法。
【発明の詳細な説明】
【０００１】
【発明の属する技術分野】
本発明は情報記録再生装置および情報記録再生方法に係わり、特にＰＣ（パーソナルコンピュータ）、ホームサーバ、ＤＶＤビデオレコーダ、ハードディスクビデオレコーダなどの映像処理・ストレージ機能を持つ映像サーバ装置等に好適に用いられる情報記録再生装置および情報記録再生方法に関する。
【０００２】
【従来の技術】
従来、映像サーバ装置において、再圧縮（トランスコード）技術が提案されている。
【０００３】
トランスコード技術は、圧縮された映像音声などのデータを、できるだけ高速、高画質、低回路規模で、低ビットレートに再圧縮を行う技術である。
【０００４】
また、トランスコード技術を応用した機能として、記録領域拡張制御機能が提案されている。
【０００５】
記録領域拡張制御機能は、ホームサーバなどにおいて、映像音声記録中に残記録可能領域が減ってきて、このままだとその番組が最後まで記録できず、後半部分が切れてしまう可能性が大きくなってきたようなとき、新しく入力したデータを記録するビットレートを下げると同時に、既に記録されているデータを再生し、トランスコードにより低ビットレートに再圧縮し、再記録すると共に、トランスコード前のデータが記録されていた領域を開放することにより、それ以降記録できる領域を広げる機能である。ここで、領域を開放するとは、その領域に自由に新しいデータを上書き記録できるようにするということであり、消去と同じ意味を持つが、実際にデータを消すわけではない。
【０００６】
本発明に関連する技術としては、例えば、特開２０００−６６８７３に、記憶部内の空き領域の大きさが不足状態にあるときは、記憶部内のデータを圧縮することが記載され、特開２０００−８９９８３に、使用頻度、保存日時等の過去の履歴に基づいて圧縮して記憶可能領域を増加させることが記載されている。
【０００７】
また、特開２０００−３２２２９１に、データ領域に記憶された複数の圧縮データが連続するように再配置して連続した空き領域を作成し、圧縮データを空き領域に展開（解凍）するとともに展開が終了した圧縮データを順次削除することが記載され、特開２００１−２３１００９に、メモリに記録済みとなっている画像データ量を削減し、空き容量をメモリに確保し、この空き容量の容量に収まるように新たなデータを圧縮することが記載されている。
【０００８】
また、特開昭５９−６０６６６号公報に、データの追加要求があった場合に、空き領域の大きさが要求量を満足する大きさでない場合には、圧縮を行って空き領域を作ることの記載があり、特開平１０−２７１４９８号公報に、圧縮データの圧縮度の相対的な大小関係に基づいて再圧縮用の圧縮度を決定し、決定された再圧縮用の圧縮度に従ってデータを変換することの記載がある。
【０００９】
【発明が解決しようとする課題】
前述のようなトランスコーダによる記録領域拡張制御機能に関しては、以下のような問題点がある。
【００１０】
即ち、記録可能な領域が減ってきて、記録済コンテンツを再圧縮、再記録する際、全記録済データを一括して再圧縮するため、ユーザーが高画質で保存しておきたいコンテンツと低画質としてもよいコンテンツを区別せずに同時に同じビットレートに変換することになり、優先度に応じた異なった処理を施すことができない。
【００１１】
また、トランスコード処理が遅れたとき、ディスク上の記録可能な領域がなくなり、記録不能となってしまう可能性がある。
【００１２】
また、映像・音声データに付随して、検索、編集、特殊再生を行うため、ディスク上の記録アドレスとピクチャーナンバー、グループオブピクチャーナンバーの関係などを管理データとして記録することになるが、再圧縮した映像・音声データに対する管理データは再圧縮すると同時に再度発生し、再圧縮終了後にすべて再記録しなければならない。
【００１３】
【課題を解決するための手段】
本発明の情報記録再生装置は、情報記録媒体と、データに記録信号処理を施す記録信号処理部と、記録信号処理が施されたデータを該情報記録媒体へ記録する記録実行部と、該情報記録媒体から記録されたデータを再生する再生実行部と、記録されたデータに再生信号処理を施し、データを復元する再生信号処理部と、復元されたデータに再圧縮を施し前記記録信号処理部に送る再圧縮実行部と、記録されるデータの管理データを生成するとともに、少なくとも記録実行部、再生実行部および再圧縮実行部の動作を管理する管理部と、を有し、
前記管理部は、記録時、または記録後に所望の記録データの一定単位ごとに、管理データとして再圧縮設定フラグを前記記録実行部により付加・記録し、前記管理部が必要と判断したとき、該再圧縮設定フラグが付加された記録データを、前記再圧縮実行部により再圧縮して再記録し、再圧縮前の記録データが記録されている領域を開放することを特徴とするものである。
【００１４】
また本発明の情報記録再生装置は、情報記録媒体と、データに記録信号処理を施す記録信号処理部と、記録信号処理が施されたデータを該情報記録媒体へ記録する記録実行部と、該情報記録媒体から記録されたデータを再生する再生実行部と、記録されたデータに再生信号処理を施し、データを復元する再生信号処理部と、復元されたデータに再圧縮を施し前記記録信号処理部に送る再圧縮実行部と、記録されるデータの管理データを生成するとともに、少なくとも記録実行部、再生実行部および再圧縮実行部の動作を管理する管理部と、を有し、
前記管理部は、記録時、または記録後に所望の記録データの一定単位ごとに、管理データとして再圧縮の順序を規定するｎ段階（ｎは２以上の整数）の再圧縮順序設定フラグを前記記録実行部により付加・記録し、前記管理部が必要と判断したとき、再圧縮の順序の早い方から前記再圧縮順序設定フラグが付加された記録データを再圧縮して再記録し、再圧縮前の記録データが記録されている領域を開放することを特徴とするものである。
【００１５】
本発明の情報記録再生方法は、入力したデータを複数のビットレートで情報記録媒体へ同時に記録するとともに、記録データを情報記録媒体へ記録する時、または記録した後に一のビットレートの所望の記録データの一定単位ごとに、管理データとして再圧縮設定フラグを付加・記録し、
記録すべき領域の容量が不足するときに、該再圧縮設定フラグが付加された記録データを開放することを特徴とするものである。
また本発明の情報記録再生方法は、入力したデータを複数のビットレートで情報記録媒体へ同時に記録するとともに、記録データを情報記録媒体へ記録する時、または記録した後に一のビットレートの所望の記録データの一定単位ごとに、管理データとして再圧縮の順序を規定するｎ段階（ｎは２以上の整数）の再圧縮順序設定フラグを付加・記録し、
記録すべき領域の容量が不足するときに、再圧縮の順序の早い方から前記再圧縮順序設定フラグが付加された記録データを開放することを特徴とするものである。
また本発明の情報記録再生方法は、記録データを情報記録媒体へ記録する時、または記録した後に所望の記録データの一定単位ごとに、管理データとして再圧縮設定フラグを付加・記録し、記録すべき領域の容量が不足するとき、該再圧縮設定フラグが付加された記録データを再圧縮して再記録し、再圧縮前の記録データが記録されている領域を開放することを特徴とするものである。
【００１６】
また本発明の情報記録再生方法は、記録データを情報記録媒体へ記録する時、または記録した後に所望の記録データの一定単位ごとに、管理データとして再圧縮の順序を規定するｎ段階（ｎは２以上の整数）の再圧縮順序設定フラグを付加・記録し、記録すべき領域の容量が不足するとき、再圧縮順序の早い方から該再圧縮順序設定フラグが付加された記録データを再圧縮して再記録し、再圧縮前の記録データが記録されている領域を開放することを特徴とするものである。
【００１７】
【実施例】
以下、図１〜図１０を参照して、本発明の実施例を説明する。
【００１８】
図１に、本発明の情報記録再生装置の構成の一実施例を説明するための回路ブロック図を示す。
【００１９】
入力した映像・音声・その他のデータは、記録信号処理部１１により記録信号処理が行われ、記録実行部１２により記録が実行され、その結果、ディスク記録媒体１３にデータが記録される。また、記録済データは、再生実行部１４により再生が実行され、再生信号処理部１５により再生信号処理が行われ、映像・音声・その他のデータが復元、出力される。
【００２０】
そして、ディスク管理部１６は、記録されたコンテンツの管理データを発生、記録、再生し、管理データにより情報記録再生装置を管理する。またディスク記録媒体１３の残記録容量が規定値以下になったと判断したとき（残容量不足予測点に達したとき）、再圧縮設定フラグ、または再圧縮順序設定フラグにより、指定された記録済データが再生実行部１４により再生され、再生信号処理部１５により再生信号処理が行われ、再圧縮部１７により再圧縮が行われ、記録信号処理部１１により記録信号処理が行われ、記録実行部１２により記録が実行され、ディスク記録媒体１３の指定された領域に記録され、再圧縮前の指定された記録済データが記録されている領域が開放される。そしてディスクの残記録容量が無くなったときに、開放された領域に記録が完了してない記録すべきデータを記録する。
【００２１】
残容量不足予測点は、例えば、ディスク残容量が固定容量（１００ＭＢ、５００ＭＢなど）以下となる点、ディスク残容量が全容量の一定割合（５％、１０％など）以下となる点、又は現在のビットレート又はＥＰＧ(Electronic Program Guide)より得られた今後のビットレートで記録を続けたとき、記録可能な残り時間が１５分、３０分など一定時間以下になったときの点とすることができる。また、記録中のテレビ番組に対し、ＥＰＧにより番組終了時間を検出し、現在のビットレート、またはＥＰＧで得られたビットレートとストレージの残記録容量から、番組終了まで記録可能であるかどうか判断し、不可能と判定した点を残容量不足予測点とすることができる。予約録画されたテレビ番組に対しても同様に、番組記録時間は分かっているため、現在のビットレート、またはＥＰＧで示されたビットレートとストレージの残記録容量から、番組終了まで予約録画可能かどうか判断し、不可能と判定した点を残容量不足予測点とすることができる。
【００２２】
図２に図１に示したディスク管理部１６の一構成例を示す。ディスク管理部１６はＣＰＵ・Ｉ／Ｏ回路９０１とメモリ９０２で構成される。映像・音声・その他のデータ１０１は記録信号処理部１１に入力されるとともに、ディスク管理部１６内のメモリ９０２、管理データ発生解読部９０３などが接続されたメインバス、ＥＰＧ(Electronic Program Guide)解読部９０４、情報量解読部９０５、ジャンル登録・判定部９０６に入力される。
【００２３】
情報量解読部９０５からの記録情報量やその大きさ（詳細は後述する）、又はジャンル登録・判定部９０６からの記録データのジャンル情報等に基づいて、フラグ計算・付加・判断部９０９は再圧縮設定フラグ、再圧縮順序設定フラグ、再圧縮禁止設定フラグ、消去設定フラグを必要に応じて記録データに付加すべく、管理データ発生解読部９０３に必要なフラグデータを送る。管理データ発生解読部９０３はフラグ計算・付加・判断部９０９、ＥＰＧ(Electronic Program Guide)解読部９０４、情報量解読部９０５、ジャンル登録・判定部９０６からの出力データに基づいて図３に示すような管理データを生成する。管理データは記録実行制御部９１０に送られ、記録実行制御部９１０は記録実行部１２に信号１０３として管理データを送り、記録実行部１２は映像音声データとともに管理データをディスク記録媒体１３に記録する。
【００２４】
ディスク管理部１６は、初期状態（ハードディスクの電源が投入されたとき、光ディスクが挿入されたときなど）において、あらかじめ管理データを、再生実行制御部９１２からの制御信号１０５により、再生実行部１４を通して１０２から読み込み、管理データ発生解読部９０３を通して解読した後、メモり９０２に記憶しておく。ディスク記録中に管理データ発生解読部９０３が発生した管理データも、同様にメモリ９０２に記憶しておく。
【００２５】
例えば、現在のビットレートとＥＰＧ(Electronic Program Guide)解読部９０４からのＥＰＧより得られた今後のビットレートに基づいて、残記録容量判定部９０８により判定される残記録容量により、ディスク記録媒体１３の残記録容量が規定値以下になったと判断したとき（残容量不足予測点に達したとき）、再生実行制御部９１２からの制御信号１０５により、再生実行部１４は再圧縮設定フラグ、再圧縮順序設定フラグ、消去設定フラッグにより、指定された記録済みデータの再生を行い、再生された信号は信号１０２としてディスク管理部１６に入力される。ディスク管理部１６では領域開放部９０７が再圧縮設定フラグ、再圧縮順序設定フラグ等により、再圧縮を行うべき領域を指定し、再圧縮実行制御部９１１は再圧縮部１７に再圧縮すべき領域を指定する信号１０４を送る。再生信号処理部１５で再生処理された信号は再圧縮部１７で圧縮処理され、記録信号処理部１１により記録信号処理が行われ、記録実行部１２により圧縮されたデータの記録が実行され、ディスク記録媒体１３の指定された領域に記録され、再圧縮前の指定された記録済データが記録されている領域が開放される。そして、開放された領域に記録が完了してない記録すべきデータが記録される。メモリ９０２は管理データ、入力されたデータ又は再生されたデータを一時保存しておくためのものである。フラグ計算・付加・判断部９０９における再圧縮設定フラグ、再圧縮順序設定フラグ、再圧縮禁止設定フラグおよび消去設定フラグの生成は、手動又は自動で設定され、信号１０７でその切替を行うことができる。ジャンル登録・判定部９０６におけるジャンルの設定は信号１０６により設定することができる。
【００２６】
図３は管理データの内容を示す一構成例を示す図である。管理データは映像音声データを記録したファイルとは別に設けられ、その中に再圧縮設定フラグデータ、再圧縮順序設定フラグデータ単位ごとに、ブロックナンバー、開始セクターアドレス、セクター数、再圧縮設定フラグ、再圧縮順序設定フラグ、文字情報等が配置される。なお、再圧縮を禁止する再圧縮禁止設定フラグ、該当領域内のデータを消去する消去設定フラグが必要に応じて再圧縮設定フラグ、再圧縮順序設定フラグの代わり、または加えて配置される。
【００２７】
図４に、本発明の情報記録再生装置の動作の第１例を説明する図を示す。６Ｍｂｐｓでデータが記録された領域を２１、２２、２３、２４とし、６Ｍｂｐｓで新しく記録されている領域を２５とし、再圧縮設定フラグが領域２２、２３に記録されるデータに付加されているものとする。なお、再圧縮設定フラグは記録されるデータ容量がディスクの記録容量を超えると判断したときに、手動で又は自動でフラグ計算・付加・判断部９０９が再圧縮設定フラグを付加する。
【００２８】
さて、最初は図４の（１）のようにデータが領域２１、２２、２３、２４に記録され、次のデータが領域２５の記録中に示されている第１次残容量不足予測点２６１まで達すると、ディスク管理部１６により、第１次再圧縮命令が発行される。
【００２９】
これにより、図４の（２）のように再圧縮設定フラグが付加されているデータが記録されている領域２２、２３に関して、再生が行われ、３Ｍｂｐｓへの再圧縮、および領域２２１、２３１への上書き記録が行われ、領域２６２が開放される。領域２５では、６Ｍｂｐｓで引き続き記録が行われる。
【００３０】
図４の（３）のように、領域２５がディスク終了点２６３まで達すると、今度は領域２５１として示すように、３Ｍｂｐｓで引き続き領域２６２への上書き記録が行われる。その後、さらに第２次残容量不足予測点２６４まで達すると、ディスク管理部１６により、第２次再圧縮命令が発行される。
【００３１】
これにより、図４の（４）のように残りの領域２１、２４、２５に関して、再生が行われ、３Ｍｂｐｓへの再圧縮、および領域２１１、２４１、２５２への上書き記録が行われ、領域２６５が開放される。領域２５１では、３Ｍｂｐｓで引き続き記録が行われる。
【００３２】
最後に図４の（５）のように、領域２５１が領域２６２の終了点まで達すると、領域２５３として示すように、３Ｍｂｐｓで引き続き領域２６５に上書き記録が行われ、終了する。
【００３３】
なお、領域２１、２４、２５のうち、例えば領域２１へは再圧縮されたデータの上書きを行いたくない場合には、再圧縮禁止設定フラグを領域２１への記録データに付加する。
【００３４】
ここで、領域２１１、２２１、２３１、２４１、２５２はそれぞれ領域２１、２２、２３、２４、２５に上書きしなくてもよく、ディスク上の未記録領域、開放された、または開放される予定のどの領域に記録してもよい。
【００３５】
また、領域２５を６Ｍｂｐｓとしたが、領域２５の領域２６１以降を３Ｍｂｐｓとしてもよい。６Ｍｂｐｓ、３Ｍｂｐｓはこの値でなくてもよく、ビットレートが３種類以上となってもよい。
【００３６】
図５に、本発明の情報記録再生装置の動作の第２例を説明する図を示す。６Ｍｂｐｓでデータが記録された領域を３１、３２、３３、３４とし、６Ｍｂｐｓで新しくデータが記録されている領域を３５とし、再圧縮順序設定フラグ及び再圧縮禁止設定フラグが以下のように付加されているものとする。
【００３７】
３１：レベル３（再圧縮の順序が３番目のフラグ）
３２：レベル１（再圧縮の順序が先頭（１番目）のフラグ）
３３：レベル２（再圧縮の順序が２番目のフラグ）
３４：レベル４（再圧縮の順序が４番目のフラグ）
３５：レベル５（再圧縮の順序が最後のフラグ）
【００３８】
レベル６が再圧縮禁止（レベル５は再圧縮可能）とする。ここでは再圧縮禁止設定フラグが付加された領域は示されていない。
【００３９】
さて、最初は図５の（１）のようにデータが領域３１、３２、３３、３４に記録され、次のデータが領域３５の記録中に示されている第１次残容量不足予測点３６１まで達すると、ディスク管理部１６により、第１次再圧縮命令が発行される。
【００４０】
これにより、図５の（２）のように、再圧縮順序設定フラグレベル１が付加されている領域３２に関して、再生、３Ｍｂｐｓへの再圧縮、および領域３２１への上書き記録が行われ、領域３６２が開放される。領域３５では、６Ｍｂｐｓで引き続き記録が行われる。
【００４１】
図５の（３）のように、領域３５がディスク終了点３６３まで達すると、今度は領域３５１として示すように、３Ｍｂｐｓで引き続き領域３６２への上書き記録が行われる。その後、さらに第２次残容量不足予測点３６４まで達すると、ディスク管理部１６により、第２次再圧縮命令が発行される。
【００４２】
これにより、図５の（４）のように、再圧縮順序設定フラグレベル２が付加されている領域３３に関して、再生、３Ｍｂｐｓへの再圧縮、および領域３３１への上書き記録が行われ、領域３６５が開放される。領域３５１の後、領域３５２では、３Ｍｂｐｓで引き続き領域３６５への上書き記録が行われる。
【００４３】
その後、さらに第３次残容量不足予測点３６６まで達すると、ディスク管理部１６により、第３次再圧縮命令が発行される。
【００４４】
これにより、図５の（５）のように、再圧縮順序設定フラグレベル３が付加されている領域３１に関して、再生、３Ｍｂｐｓへの再圧縮、および領域３１１への上書き記録が行われ、領域３６７が開放される。領域３５２の後、領域３５３では、３Ｍｂｐｓで引き続き領域３６７への上書き記録が行われる。
【００４５】
その後、さらに第４次残容量不足予測点３６８まで達すると、ディスク管理部１６により、第４次再圧縮命令が発行される。
【００４６】
これにより、図５の（６）のように、再圧縮順序設定フラグレベル４が付加されている領域３４に関して、再生、３Ｍｂｐｓへの再圧縮、および領域３４１への上書き記録が行われ、領域３６９が開放される。領域３５３の後、領域３５４では、３Ｍｂｐｓで引き続き領域３６９への上書き記録が行われる。
【００４７】
その後、さらに第４次残容量不足予測点３７０まで達すると、ディスク管理部１６により、第５次再圧縮命令が発行される。
【００４８】
これにより、図５の（７）のように、再圧縮順序設定フラグレベル５が付加されている領域３５に関して、再生、３Ｍｂｐｓへの再圧縮、および領域３５５への上書き記録が行われ、領域３７１が開放される。領域３５４の後、領域３５６は、３Ｍｂｐｓで引き続き領域３７１への上書き記録が行われ、記録可能領域がなくなると、記録終了する。
【００４９】
ここで、領域３１１、３２１、３３１、３４１、３５５はそれぞれ領域３１、３２、３３、３４、３５に上書きしなくてもよく、ディスク上の未記録領域、開放された、または開放される予定のどの領域に記録してもよい。
【００５０】
また、領域３５を６Ｍｂｐｓとしたが、領域３５の領域３６１以降を３Ｍｂｐｓとしてもよい。６Ｍｂｐｓ、３Ｍｂｐｓはこの値でなくてもよい。
【００５１】
図４、図５の動作に関しては、ディスク上の未記録領域の容量が一定値を下回ったとき、ディスク管理部が必要と判断し、再圧縮を実行してもよいし、ディスク上の未記録領域における今後記録可能な時間が一定値を下回ったとき、ディスク管理部が必要と判断し、再圧縮を実行してもよい。
【００５２】
また、現在記録中の番組を最後まで記録しようとすると、未記録領域がオーバーフローするとき、ディスク管理部が必要と判断し、再圧縮を実行してもよいし、タイマー録画において、予約された記録総時間分の番組を記録しようとすると、未記録領域がオーバーフローするとき、ディスク管理部が必要と判断し、再圧縮を実行してもよい。タイマー録画の場合、「毎日」、「毎週」などがセットされているとき、本動作を行わなくてもよいし、「毎日」、「毎週」のみを計算から除いて本動作を行ってもよい。
【００５３】
図６に、本発明の情報記録再生装置の動作の第３例を説明する図を示す。
【００５４】
６Ｍｂｐｓでデータが記録された領域を４１、４２、４３、４４とし、６Ｍｂｐｓで新しく記録されている領域を４５とし、再圧縮順序設定フラグ及び再圧縮禁止設定フラグが以下のように付加されているものとする。
【００５５】
４１：レベル３（再圧縮の順序が３番目のフラグ）
４２：レベル１（再圧縮の順序が先頭（１番目）のフラグ）
４３：レベル２（再圧縮の順序が２番目のフラグ）
４４：レベル４（再圧縮の順序が最後のフラグ）
４５：レベル５（再圧縮禁止設定フラグ）
【００５６】
さて、最初は図６の（１）のように、データが領域４１、４２、４３、４４に記録され、次のデータが領域４５に記録中に示されている第１次残容量不足予測点４６１まで達すると、ディスク管理部１６により、再圧縮命令が発行される。
【００５７】
これにより、図６の（２）のように、再圧縮順序設定フラグレベル１が付加されている領域４２に関して、再生、１Ｍｂｐｓへの再圧縮、および領域４２１への上書き記録が行われ、領域４６２が開放される。
【００５８】
再圧縮順序設定フラグレベル２が付加されている領域４３に関して、再生、２Ｍｂｐｓへの再圧縮、および領域４３１への上書き記録が行われ、領域４６３が開放される。
【００５９】
再圧縮順序設定フラグレベル３が付加されている領域４１に関して、再生、３Ｍｂｐｓへの再圧縮、および領域４１１への上書き記録が行われ、領域４６４が開放される。
【００６０】
再圧縮順序設定フラグレベル４が付加されている領域４４に関して、再生、４Ｍｂｐｓへの再圧縮、および領域４４１への上書き記録が行われ、領域４６５が開放される。
【００６１】
図６の（３）のように、領域４５は、６Ｍｂｐｓで引き続き記録が行われ、ディスク終了点４６６まで達すると、今度は５Ｍｂｐｓで引き続き、領域４５１、４５２、４５３、４５４のように、領域４６２、４６３、４６４、４６５への上書き記録が行われ、記録可能領域がなくなると、記録終了する。
【００６２】
ここで、領域４１１、４２１、４３１、４４１はそれぞれ領域４１、４２、４３、４４に上書きしなくてもよく、ディスク上の未記録領域、開放された、または開放される予定のどの領域に記録してもよい。また、領域４５を６Ｍｂｐｓとしたが、領域４５の領域４６１以降を５Ｍｂｐｓとしてもよい。
【００６３】
領域４５の領域４６１以降、領域４５１、４５２、４５３、４５４は、５Ｍｂｐｓでなくてもよい。また、１〜６Ｍｂｐｓはこの値でなくてもよい。
【００６４】
図７に、本発明の情報記録再生装置の動作の第４例を説明する図を示す。
【００６５】
６Ｍｂｐｓでデータが記録された領域を５１、５２、５３、５４とし、６Ｍｂｐｓで新しくデータが記録されている領域を５５とし、再圧縮順序設定フラグ及び再圧縮禁止設定フラグが以下のように付加されているものとする。
【００６６】
５１：レベル３（再圧縮の順序が３番目のフラグ）
５２：レベル１（再圧縮の順序が先頭（１番目）のフラグ）
５３：レベル２（再圧縮の順序が２番目のフラグ）
５４：レベル４（再圧縮の順序が４番目のフラグ）
５５：レベル５（再圧縮の順序が最後のフラグ）
【００６７】
レベル６が再圧縮禁止（レベル５は再圧縮可能）とする。ここでは再圧縮禁止設定フラグが付加された領域は示されていない。
【００６８】
さて、最初は図７の（１）のように、データが領域５１、５２、５３、５４に記録され、次のデータが領域５５の記録中に示されている第１次残容量不足予測点５６１まで達すると、ディスク管理部１６により、第１次再圧縮命令が発行される。
【００６９】
これにより、図７の（２）のように、再圧縮順序設定フラグレベル１が付加されている領域５２に関して、再生、１Ｍｂｐｓへの再圧縮、および領域５２１への上書き記録が行われ、領域５６２が開放される。領域５５は、６Ｍｂｐｓで引き続き記録が行われる。
【００７０】
図７の（３）のように、領域５５がディスク終了点５６３まで達すると、今度は領域５５１として示すように、５Ｍｂｐｓで引き続き領域５６２への上書き記録が行われる。その後、さらに第２次残容量不足予測点５６４まで達すると、ディスク管理部１６により、第２次再圧縮命令が発行される。
【００７１】
これにより、図７の（４）のように、再圧縮順序設定フラグレベル２が付加されている領域５３に関して、再生、２Ｍｂｐｓへの再圧縮、および領域５３１への上書き記録が行われ、領域５６５が開放される。領域５５１に続き、領域５５２は、５Ｍｂｐｓで引き続き領域５６５への上書き記録が行われる。
【００７２】
その後、さらに第３次残容量不足予測点５６６まで達すると、ディスク管理部１６により、第３次再圧縮命令が発行される。
【００７３】
これにより、図７の（５）のように、再圧縮順序設定フラグレベル３が付加されている領域５１に関して、再生、３Ｍｂｐｓへの再圧縮、および領域５１１への上書き記録が行われ、領域５６７が開放される。領域５５２に続き、領域５５３は、５Ｍｂｐｓで引き続き領域５６７への上書き記録が行われる。その後、さらに第４次残容量不足予測点５６８まで達すると、ディスク管理部１６により、第４次再圧縮命令が発行される。
【００７４】
これにより、図７の（６）のように、再圧縮順序設定フラグレベル４が付加されている領域５４に関して、再生、４Ｍｂｐｓへの再圧縮、および領域５４１への上書き記録が行われ、領域５６９が開放される。領域５５３に続き、領域５５４は、５Ｍｂｐｓで引き続き領域５６９への上書き記録が行われる。その後、さらに第５次残容量不足予測点５７０まで達すると、ディスク管理部１６により、第５次再圧縮命令が発行される。
【００７５】
これにより、図７の（７）のように、再圧縮順序設定フラグレベル５が付加されている領域５５に関して、再生、５Ｍｂｐｓへの再圧縮、および領域５５５への上書き記録が行われ、領域５７１が開放される。領域５５４の後、領域５５６は、５Ｍｂｐｓで引き続き領域５７１への上書き記録が行われ、記録可能領域がなくなると、記録終了する。
【００７６】
ここで、領域５１１、５２１、５３１、５４１、５５５はそれぞれ領域５１、５２、５３、５４、５５に上書きしなくてもよく、ディスク上の未記録領域、開放された、または開放される予定のどの領域に記録してもよい。
【００７７】
また、領域５５を６Ｍｂｐｓとしたが、領域５５の領域５６１以降を５Ｍｂｐｓとしてもよい。
【００７８】
領域５５の領域５６１以降、領域５５１、５５２、５５３、５５４、５５５は、５Ｍｂｐｓでなくてもよい。また１〜６Ｍｂｐｓはこの値でなくてもよい。
【００７９】
本発明の情報記録再生装置の動作の第５例は図５に示した情報記録再生装置の第２例の動作を複数回繰り返すものである。
【００８０】
例えば、ディスク記録媒体の残記録容量が一定値以下になったとき、再圧縮順序設定フラグレベルが小さい順（レベル１から５）に３Ｍｂｐｓへの再圧縮を開始し、
再圧縮後の再記録が終了し、新しい記録データの記録中に再度残記録容量が一定値以下になったとき、再圧縮順序設定フラグレベルが小さい順に２Ｍｂｐｓへの再圧縮を開始し、
再圧縮後の再記録が終了し、新しい記録データの記録中に再度残記録容量が一定値以下になったとき、再圧縮順序設定フラグレベルが小さい順に１Ｍｂｐｓへの再圧縮を行う。
【００８１】
本発明の情報記録再生装置の動作の第６例は図６に示した情報記録再生装置の第３例の動作を複数回繰り返すものである。
【００８２】
例えば、ディスク記録媒体の残記録容量が一定値以下になったとき、レベル５は再圧縮禁止のため、レベル１を１Ｍｂｐｓ、レベル２を２Ｍｂｐｓ、レベル３を３Ｍｂｐｓ、レベル４を４Ｍｂｐｓへ再圧縮を開始し、
再圧縮後の再記録が終了し、新しい記録データの記録中に再度残記録容量が一定値以下になったとき、レベル１を０．５Ｍｂｐｓ、レベル２を１Ｍｂｐｓ、レベル３を１．５Ｍｂｐｓ、レベル４を２Ｍｂｐｓへ再圧縮を開始し、
再圧縮後の再記録が終了し、新しい記録データの記録中に再度残記録容量が一定値以下になったとき、レベル１を０．２５Ｍｂｐｓ、レベル２を０．５Ｍｂｐｓ、レベル３を０．７５Ｍｂｐｓ、レベル４を１Ｍｂｐｓへ再圧縮する。
【００８３】
本発明の情報記録再生装置の動作の第７例は図７に示した情報記録再生装置の第４例の動作を複数回繰り返すものである。
【００８４】
例えば、ディスク記録媒体の残記録容量が一定値以下になったとき、レベル１を１Ｍｂｐｓへ再圧縮開始し、さらに一定値以下になったとき、レベル２を２Ｍｂｐｓへ再圧縮開始し、さらに一定値以下になったとき、レベル３を３Ｍｂｐｓへ再圧縮開始し、さらに一定値以下になったとき、レベル４を４Ｍｂｐｓへ再圧縮開始し、さらに一定値以下になったとき、レベル５を５Ｍｂｐｓへ再圧縮開始し、
さらに、ディスク記録媒体の残記録容量が一定値以下になったとき、レベル１を０．５Ｍｂｐｓへ再圧縮開始し、さらに一定値以下になったとき、レベル２を１Ｍｂｐｓへ再圧縮開始し、さらに一定値以下になったとき、レベル３を１．５Ｍｂｐｓへ再圧縮開始し、さらに一定値以下になったとき、レベル４を２Ｍｂｐｓへ再圧縮開始し、さらに一定値以下になったとき、レベル５を２．５Ｍｂｐｓへ再圧縮開始し、
さらに、ディスク記録媒体の残記録容量が一定値以下になったとき、レベル１を０．２５Ｍｂｐｓへ再圧縮開始し、さらに一定値以下になったとき、レベル２を０．５Ｍｂｐｓへ再圧縮開始し、さらに一定値以下になったとき、レベル３を０．７５Ｍｂｐｓへ再圧縮開始し、さらに一定値以下になったとき、レベル４を１Ｍｂｐｓへ再圧縮開始し、さらに一定値以下になったとき、レベル５を１．２５Ｍｂｐｓへ再圧縮する。
【００８５】
本発明の情報記録再生装置の動作の第８例は、レベル０を規定している。レベル０は、消去可能なる消去設定フラグである。すべてのレベル１〜レベル（ｎ−１）の記録データの再圧縮が行われる前に、レベル０の記録データが記録されている領域が開放され、消去に相当する操作が実行される。
【００８６】
再圧縮設定フラグ、再圧縮順序設定フラグ、再圧縮禁止設定フラグおよび消去設定フラグは、手動で設定することが考えられる。
【００８７】
この場合、ホームサーバ等に映像データを記録する前に設定しても、記録中に設定しても、記録終了後に設定してもよい。設定する場合、再圧縮設定フラグは、「再圧縮する」「できるだけ再圧縮しない」のような表示にしてもよいし、再圧縮順序設定フラグ及び再圧縮禁止設定フラグは、「再圧縮レベル１」、「再圧縮レベル２」、「再圧縮レベル３」、「再圧縮レベル４」、「再圧縮しない」などとすればよい。
【００８８】
再圧縮設定フラグ、再圧縮順序設定フラグ、再圧縮禁止設定フラグおよび消去設定フラグを、自動的に設定することも考えられる。
【００８９】
自動設定に関しては、以下のような方法が考えられる。
【００９０】
即ち、ユーザーが好みのジャンルの順序をあらかじめ登録しておき、その順序に従って再圧縮設定フラグ、および再圧縮順序設定フラグ等を、ディスク管理部が自動的に設定する。
【００９１】
例えば、ユーザーが、あらかじめ優先度小から優先度大にかけて、
優先度レベル１：ニュース／天気予報、優先度レベル２：スポーツ、優先度レベル３：映画、優先度レベル４：音楽番組、優先度レベル５：バラエティー、優先度レベル６：ドラマと登録したとする。
【００９２】
このとき、ディスク管理部は、再圧縮設定フラグに関しては、例えば再圧縮の順序の早い順に「優先度レベル１：ニュース／天気予報、優先度レベル２：スポーツ、優先度レベル３：映画」を「再圧縮する」、「優先度レベル４：音楽番組、優先度レベル５：バラエティー、優先度レベル６：ドラマを「できるだけ再圧縮しない」とする。
【００９３】
また、再圧縮順序設定フラグに関しては、優先度レベル１を再圧縮順序設定フラグレベル１、優先度レベル２を再圧縮順序設定フラグレベル２、優先度レベル３を再圧縮順序設定フラグレベル３、優先度レベル４を再圧縮順序設定フラグレベル４、優先度レベル５を再圧縮順序設定フラグレベル５、優先度レベル６を再圧縮順序設定フラグレベル６とする。
【００９４】
そして、記録時、ディスク管理部は、ＥＰＧ（電子番組ガイド）、データ放送などにより送られてくる番組のジャンルを読みとり、自動的に再圧縮設定フラグ、再圧縮順序設定フラグを付加する。
【００９５】
自動設定に関しては、他に、以下のような方法も考えられる。
【００９６】
即ち、ユーザーが記録再生するデータからディスク管理部がジャンルを読みとり、ユーザーが好むジャンルを自動的に判定し、その判定結果に従って各記録データのジャンルに応じて再圧縮設定フラグ、再圧縮順序設定フラグ、再圧縮禁止設定フラグ、消去設定フラグを、ディスク管理部が自動的に設定する。
【００９７】
例えば、ユーザーが記録再生した合計時間が、ニュース／天気予報が１時間、スポーツが３時間、映画が４時間、音楽番組が６時間、バラエティーが８時間、ドラマが１０時間とすると、優先度レベル１：ニュース／天気予報、優先度レベル２：スポーツ、優先度レベル３：映画、優先度レベル４：音楽番組、優先度レベル５：バラエティー、優先度レベル６：ドラマとする。
【００９８】
このとき、ディスク管理部は、再圧縮設定フラグに関しては、例えば「優先度レベル１：ニュース／天気予報、優先度レベル２：スポーツ、優先度レベル３：映画」を「再圧縮する」、「優先度レベル４：音楽番組、優先度レベル５：バラエティー、優先度レベル６：ドラマを「できるだけ再圧縮しない」とする。
【００９９】
また、再圧縮順序設定フラグに関しては、優先度レベル１を再圧縮順序設定フラグレベル１、優先度レベル２を再圧縮順序設定フラグレベル２、優先度レベル３を再圧縮順序設定フラグレベル３、優先度レベル４を再圧縮順序設定フラグレベル４、優先度レベル５を再圧縮順序設定フラグレベル５、優先度レベル６を再圧縮順序設定フラグレベル６とする。
【０１００】
そして、記録時、ディスク管理部は、ＥＰＧ（電子番組ガイド）、データ放送などにより送られてくる番組のジャンルを読みとり、自動的に再圧縮設定フラグ、再圧縮順序設定フラグ等を付加する。
【０１０１】
ユーザーが記録再生した合計時間に関しては以下のような計算方法を用いてもよい。
【０１０２】
即ち、ユーザーが、あるジャンルのデータを記録した時間に係数Ａを乗じ、再生した時間に係数Ｂを乗じ、それらを加算する。例えば、Ａ＝０．６、Ｂ＝０．４とし、ドラマを記録した時間を３時間、再生した時間を７時間とすると、ドラマの優先度を決める、ユーザー好み値は、
０．６×３＋０．４×７＝４．６
となる。
【０１０３】
そして、このユーザー好み値が小さい方のジャンルを優先度小、大きい方のジャンルを優先度大とする。
【０１０４】
自動設定に関しては、他に、以下のような方法も考えられる。
【０１０５】
ジャンルによる情報量の大きさがあらかじめ規定されており、その順序に従って再圧縮設定フラグ、および再圧縮順序設定フラグを付加する。
【０１０６】
即ち、例えば一般的に最も情報量が小さいジャンルをニュース／天気予報、以下、映画、バラエティー、ドラマ、音楽番組と続き、最も情報量が大きいジャンルをスポーツとする。あらかじめ、このように情報量とジャンルの関係を決めておく。
【０１０７】
そして、この一般的に情報量が小さい方のジャンルを優先度小、大きい方のジャンルを優先度大とする。
【０１０８】
自動設定に関しては、他に、以下のような方法も考えられる。
【０１０９】
記録データの情報量により、再圧縮設定フラグ、および再圧縮順序設定フラグを、ディスク管理部が自動的に設定する。
【０１１０】
即ち、記録時に情報量を計測し、情報量が小さいコンテンツを優先度小として先に再圧縮を行い、情報量が大きいコンテンツを優先度大として、できるだけ再圧縮を行わないようにする。
【０１１１】
情報量に関しては、例えば以下のように定義する。
【０１１２】
初回圧縮時、ＭＰＥＧ（Ｍｏｖｉｎｇ  Ｐｉｃｔｕｒｅ  Ｅｘｐｅｒｔ  Ｇｒｏｕｐ）圧縮方式において、ＭＢ（マクロブロック）単位で、ＤＣＴ変換、量子化、可変長符号化後のビット数に、ＱＳＣ（量子化スケールコード）で示される量子化スケール値を乗じ、それを１画面に渡って加算し、さらに必要な画面に渡って加算した値を、記録データの情報量とする。
【０１１３】
即ち、
ＭＢにおける情報量＝ＭＢにおける可変長符号化後のビット数×ＱＳＣで示される量子化スケール値
ピクチャーにおける情報量＝ピクチャーを構成する全ＭＢにおける情報量の総和
とする。
【０１１４】
そして、各コンテンツにおいて、構成する全ピクチャーの情報量を積算し、その値をコンテンツの情報量とする。
【０１１５】
例えば、ＭＢにおける可変長符号化後のビット数が２０ビット、ＭＰＥＧ規格で規定されているＱＳＣが５、Q_scale_type＝０とすると、ＱＳＣで示される量子化スケール値が１０となるため、当該ＭＢにおける情報量は、
ＭＢにおける情報量＝２０×１０＝２００
となる。
【０１１６】
この計算方法は、ＭＰＥＧ規格において、「Ｘ値」として規定されている。
【０１１７】
前記Ｘ値の計算方法に関しては、圧縮されているデータに対しても同様の計算が可能である。
【０１１８】
即ち、ＭＰＥＧ圧縮ストリームを、ＭＢ単位で、可変長復号化前のビット数に、ＱＳＣ（量子化スケールコード）で示される量子化スケール値を乗じ、それを１画面に渡って加算し、さらに必要な画面に渡って加算した値を、記録データの情報量とする。
【０１１９】
また、他の計算方法として、初回圧縮時、ブロック単位で、輝度信号の値から当該ブロックの輝度信号の平均値を減算した結果を２乗し、それを１ブロックに渡って加算し、６４で除算し、ＭＢを構成するブロックの中で前記値のうち最小値を代表値としてそれに１を加算し、当該マクロブロックの情報量とし、それを１画面に渡って加算し、さらに必要な画面に渡って加算した値を、記録データの情報量とする。
【０１２０】
図１０に輝度信号成分の例を示す。
【０１２１】
８０１、８０２、８０３、８０４をブロック、８０５をＭＢ（マクロブロック）とする。
【０１２２】
最初に各ブロックごとに、
【０１２３】
【数１】
0003817728.tif 000002
を計算する。ただし、i、jとも０〜７の値をとるものとし、P_meanは、当該ブロック中のＰの平均値とする。
【０１２４】
次に、
actj＝１＋min（var_sblk）
とする。ここで、min（var_sblk）は、当該ＭＢに属するブロックにおけるvar_sblkの中で、最小のvar_sblkを意味する。actjから、
ピクチャーにおける情報量＝ピクチャーを構成する全ＭＢにおけるactjの総和
とする。
【０１２５】
そして、各コンテンツにおいて、構成する全ピクチャーの情報量を積算し、その値をコンテンツの情報量とする。
【０１２６】
この計算方法は、ＭＰＥＧ規格において、「アクティビティー値」として規定されている。
【０１２７】
前記アクティビティー値の計算方法に関しては、圧縮されているデータに対しても同様の計算が可能である。
【０１２８】
即ち、ＭＰＥＧ圧縮ストリームを可変長復号化、逆量子化、逆ＤＣＴ変換、動き補償し、ブロック単位で、輝度信号の値から当該ブロックの輝度信号の平均値を減算した結果を２乗し、それを１ブロックに渡って加算し、６４で除算し、ＭＢを構成するブロックの中で前記値のうち最小値を代表値としてそれに１を加算し、当該マクロブロックの情報量とし、それを１画面に渡って加算し、さらに必要な画面に渡って加算した値を、記録データの情報量とする。
【０１２９】
自動設定に関しては、他に、以下のような方法も考えられる。
【０１３０】
仮消去されたデータを再圧縮設定フラグにおける再圧縮設定、および再圧縮順序設定フラグにおける低いレベル（再圧縮順序の早いレベル）とする。
【０１３１】
即ち、コンテンツ１、２、３が記録されており、コンテンツ２が仮消去状態となっているとき、ディスク管理部は、再圧縮設定フラグに関しては、コンテンツ２を「再圧縮する」、コンテンツ１、３を「できるだけ再圧縮しない」とする。
【０１３２】
また、再圧縮順序設定フラグに関しては、コンテンツ２を再圧縮順序設定フラグレベル１または０、コンテンツ１、３を再圧縮順序設定フラグレベル２とする。
【０１３３】
または、仮消去されたデータを含む、連続して記録されたデータを再圧縮設定フラグにおける再圧縮設定、および再圧縮順序設定フラグにおける低いレベル（再圧縮順序の早いレベル）とする。
【０１３４】
即ち、コンテンツ１、２、３が記録されており、コンテンツ２の一部が仮消去状態となっているとき、ディスク管理部は、再圧縮設定フラグに関しては、コンテンツ２を「再圧縮する」、コンテンツ１、３を「できるだけ再圧縮しない」とする。
【０１３５】
また、再圧縮順序設定フラグに関しては、コンテンツ２を再圧縮順序設定フラグレベル１または０、コンテンツ１、３を再圧縮順序設定フラグレベル２とする。
【０１３６】
さて、以上のように再圧縮を使った機能実現に関して述べてきたが、再圧縮を実現する方法に関しては、記録済データを再生し、再圧縮し、再記録開始する時点と、入力データを再圧縮後に相当する新しいビットレートで記録開始する時点をずらすことが考えられる。
【０１３７】
図８に、記録済データを再圧縮開始する時点と、入力データを再圧縮後に相当する新しいビットレートで記録開始する時点をずらす例を示す。
【０１３８】
６Ｍｂｐｓでデータが記録された領域を６１、６２、６３、６４とし、６Ｍｂｐｓで新しく記録されている領域を６５とし、再圧縮設定フラグが領域６２、６３に記録されるデータに付加されているものとする。
【０１３９】
さて、最初は図８の（１）のようにデータが領域６１、６２、６３、６４に記録され、次のデータが領域６４に記録中に示されている第１次残容量不足予測点６６１まで達すると、ディスク管理部１６により、第１次再圧縮命令が発行される。
【０１４０】
これにより、図８の（２）のように再圧縮順序設定フラグが付加されているデータが記録されている領域６２、６３に関して、再生、３Ｍｂｐｓへの再圧縮、および領域６２１、６３１のように、領域６６２以降の未記録領域への上書き記録が行われる。同時に、領域６６３が開放される。領域６４は、６Ｍｂｐｓで引き続き記録が行われる。
【０１４１】
図８の（３）のように、領域６４の記録が入力データ高圧縮制御点６６２に達すると、領域６４は３Ｍｂｐｓとされ、領域６６３において、領域６４１のように上書き記録される。
【０１４２】
その後、領域６５１が上書き記録される。そして、領域６５１が第２次残容量不足予測点６６４まで達すると、ディスク管理部１６により、第２次再圧縮命令が発行される。
【０１４３】
これにより、図８の（４）のように、領域６１、６４に関して、再生、３Ｍｂｐｓへの再圧縮、領域６１１、６４２の上書き記録が行われる。同時に、領域６６５が開放される。
【０１４４】
その後、図８の（５）のように、３Ｍｂｐｓで領域６６５において領域６５２、６５３の記録が続けられ、それが終わると記録終了する。
【０１４５】
ここで、領域６１１、６２１、６３１、６４２はそれぞれ領域６６２以降に上書きしなくてもよく、ディスク上の未記録領域、開放された、または開放される予定のどの領域に記録してもよい。
【０１４６】
また、領域６４１、６５１、６５２、６５３を３Ｍｂｐｓとしたが、それ以外の値でもよい。６Ｍｂｐｓ、３Ｍｂｐｓはこの値でなくてもよい。
【０１４７】
また、再圧縮設定フラグが全記録済データに付加されていてもよく、全記録済データに付加されていなくてもよい。
【０１４８】
また、図４に対して適用する例を示したが、図５、図６、図７に対して適用してもよい。
【０１４９】
さて、以上のように再圧縮に関して述べてきたが、これまで述べた方法では、再圧縮時、ストレージ装置として３チャンネル同時動作が必要となる。即ち、新規入力データの記録、記録済データの再生、再圧縮したデータの記録の同時動作である。また、再圧縮データに関しては新規入力データと並行して管理データを発生しなければならず、ディスク管理部の負荷が大きくなってしまう。
【０１５０】
そこで、入力したデータを複数のビットレートに再圧縮し、それら複数のビットレートの複数のストリームを同時に記録するものとして、再圧縮設定フラグ、および再圧縮順序設定フラグで示す再圧縮の順序により記録された領域を開放する。
【０１５１】
また、複数ビットレートの複数ストリームに相当する管理データを同時に発生し、記録する。
【０１５２】
図９に、入力したデータを複数ビットレートに再圧縮し、それら複数ビットレートの複数ストリームを同時に記録する例を示す。
【０１５３】
図９では、図９の（１）のように、６Ｍｂｐｓの記録データを領域７１１、７２１、７３１に記録し、記録中データを領域７４１に記録し、３Ｍｂｐｓの記録データを領域７１２、７２２、７３２に記録し、記録中データを領域７４２とし、再圧縮設定フラグが領域７２１、７３１に付加されているものとする。
【０１５４】
領域７１１と７１２、領域７２１と７２２、領域７３１と７３２、領域７４１と７４２は最初から同時に記録される。従って、図示してないが、本システムを構成するブロックには、６Ｍｂｐｓへのエンコーダないしトランスコーダ、３Ｍｂｐｓへのエンコーダないしトランスコーダが同時に存在する。
【０１５５】
領域７４１、７４２への記録中、７５１まで達し、ディスクがフルになると、ディスク管理部１６により、第１次再圧縮命令が発行される。
【０１５６】
これにより、図９の（２）のように再圧縮設定フラグが付加されている領域７２１、７３１に関して、７５２のように領域が開放される。
【０１５７】
そして、図９の（３）のように、３Ｍｂｐｓで引き続き領域７４３にデータが記録される。
【０１５８】
領域７４３への記録中、７５３まで達し、ディスクがフルになると、ディスク管理部１６により、第２次再圧縮命令が発行される。
【０１５９】
これにより、図９の（４）のように残りの領域７１１、７４１に関して７５４のように領域が開放される。
【０１６０】
その後、図９の（５）のように、３Ｍｂｐｓで引き続き領域７４４、７４５が記録され、それが終わると記録終了する。
【０１６１】
ここで、領域７１１、７２１、７３１、７４１を６Ｍｂｐｓ、領域７１２、７２２、７３２、７４２を３Ｍｂｐｓとしたが、それ以外の値でもよい。
【０１６２】
領域７４３、７４４、７４５は３Ｍｂｐｓとしたが、それ以外の値でもよい。
【０１６３】
このように記録することにより、２ｃｈの記録で前述の動作が実行できる。また、１ストリームの映像から２ｃｈ分の管理データを同時に発生すればよく、ディスク管理部の負荷は小さくて済む。
【０１６４】
この例では、圧縮率を２種類としたが、３種類以上とすることも可能である。ただしその場合、３ｃｈ以上分の記録動作と、３ｃｈ以上分の管理データの同時発生が必要となる。
【０１６５】
また、再圧縮設定フラグが全記録済データに付加されていてもよく、全記録済データに付加されていなくてもよい。
【０１６６】
また、図４に対して適用したが、図５、図６、図７に対して適用してもよい。
【０１６７】
なお、図４〜図９において、第ｋ次残容量不足予測点に関しては、順序さえ合っていれば図示した位置でなくてもよく、例えば領域２６１の直後に領域２６４があってもよい。
【０１６８】
【発明の効果】
以上説明したように、本発明によれば、ユーザーが高画質で保存しておきたい内容と低画質で保存してもよい内容とを区別して、記録するデータの内容に応じた再圧縮、再記録処理を施すことができる。また、情報記録媒体の記録可能な領域の容量に応じて、再圧縮、再記録処理を施すことができる。
【図面の簡単な説明】
【図１】本発明の情報記録再生装置の構成の一実施例を説明するための回路ブロック図である。
【図２】図１に示したディスク管理部の一構成例を示すブロック図である。
【図３】管理データの内容を示す一構成例を示す図である。
【図４】本発明の情報記録再生装置の動作の第１例を説明する図を示す図である。
【図５】本発明の情報記録再生装置の動作の第２例を説明する図を示す図である。
【図６】本発明の情報記録再生装置の動作の第３例を説明する図を示す図である。
【図７】本発明の情報記録再生装置の動作の第４例を説明する図を示す図である。
【図８】記録済データを再圧縮開始する時点と、入力データを再圧縮後に相当する新しいビットレートで記録開始する時点をずらす例を示す図である。
【図９】入力したデータを複数ビットレートに再圧縮し、それら複数ビットレートの複数ストリームを同時に記録する例を示す図である。
【図１０】ＭＢ（マクロブロック）の例を示す図である。
【符号の説明】
１１  記録信号処理部、  １２  記録実行部、  １３  ディスク記録媒体、  １４  再生実行部、  １５  再生信号処理部、  １６  ディスク管理部、  １７再圧縮部、  ２１，２２，２３，２４  ６Ｍｂｐｓの記録済データ、  ２５  ６Ｍｂｐｓで新しく記録されているデータ、
２１１，２２１，２３１，２４１，２５２  ３Ｍｂｐｓにトランスコードされたデータ、  ２５１，２５３  ３Ｍｂｐｓで新しく記録されているデータ、  ２６１  第１次残容量不足予測点、  ２６２  開放される領域、  ２６３  ディスク終了点、  ２６４  第２次残容量不足予測点、  ２６５  上書き記録される領域、  ３１，３２，３３，３４  ６Ｍｂｐｓの記録済データ、  ３５  ６Ｍｂｐｓで新しく記録されているデータ、
３１１，３２１，３３１，３４１，３５５  ３Ｍｂｐｓにトランスコードされたデータ、  ３５１、３５２、３５３、３５４、３５６：３Ｍｂｐｓで新しく記録されているデータ、
３６１  第１次残容量不足予測点、  ３６２  開放される領域、  ３６３  ディスク終了点、  ３６４  第２次残容量不足予測点、  ３６５  開放される領域、    ３６６  第３次残容量不足予測点、  ３６７  開放される領域、  ３６８第４次残容量不足予測点、  ３６９  開放される領域、
３７０  第５次残容量不足予測点、  ３７１  開放される領域、
４１、４２、４３、４４  ６Ｍｂｐｓの記録済データ、  ４５  ６Ｍｂｐｓで新しく記録されているデータ、
４１１、４２１、４３１、４４１  ３Ｍｂｐｓにトランスコードされたデータ、
４５１、４５２、４５３、４５４  ３Ｍｂｐｓで新しく記録されているデータ、
４６１  第１次残容量不足予測点、  ４６２  開放される領域、  ４６３  開放される領域、  ４６４  開放される領域、  ４６５  開放される領域、
５１、５２、５３、５４  ６Ｍｂｐｓの記録済データ、  ５５  ６Ｍｂｐｓで新しく記録されているデータ、
５１１、５２１、５３１、５４１、５５５  ３Ｍｂｐｓにトランスコードされたデータ、
５５１、５５２、５５３、５５４、５５６  ３Ｍｂｐｓで新しく記録されているデータ、
５６１  第１次残容量不足予測点、  ５６２  開放される領域、  ５６３  ディスク終了点、
５６４  第２次残容量不足予測点、  ５６５  開放される領域、  ５６６  第３次残容量不足予測点、
５６７  開放される領域、  ５６８  第４次残容量不足予測点、  ５６９  開放される領域、  ５７０  第５次残容量不足予測点、  ５７１  開放される領域、
６１、６２、６３、６４  ６Ｍｂｐｓの記録済データ、  ６５  ６Ｍｂｐｓの記録中データ、
６１１、６２１、６３１、６４２  ３Ｍｂｐｓにトランスコードされたデータ、
６５１、６５３  ３Ｍｂｐｓで新しく記録されているデータ、
６６１  第１次残容量不足予測点、  ６６２  未記録領域、  ６６３  開放される領域、  ６６４  第２次残容量不足予測点、  ６６５  開放される領域、
７１１、７２１、７３１  ６Ｍｂｐｓの記録データ、  ７４１  ６Ｍｂｐｓの記録中データ、  ７１２、７２２、７３２  ３Ｍｂｐｓの記録データ、  ７４２３Ｍｂｐｓの記録中データ、
７４３、７４４、７５５  ３Ｍｂｐｓで新しく記録されているデータ、
７５１  第１次ディスクフル点、  ７５２  開放される領域、
７５３  第２次ディスクフル点、  ７５４  開放される領域
８０１  ブロック、  ８０２  ブロック、  ８０３  ブロック、  ８０４  ブロック、  ８０５  ＭＢ（マクロブロック）
９０１  ＣＰＵ・Ｉ／Ｏ回路、  ９０２  メモリ、  ９０３  管理データ発生解読部、  ９０４  ＥＰＧ解読部、  ９０５  情報量解読部、  ９０６  ジャンル登録・判定部、  ９０７  領域開放部、  ９０８  残記録容量判定部、  ９０９  フラグ計算・付加・判断部、  ９１０  記録実行・制御部、  ９１１  再圧縮実行・制御部、  ９１２  再生実行・制御部
【図１】
0003817728.tif 000003
【図２】
0003817728.tif 000004
【図３】
0003817728.tif 000005
【図４】
0003817728.tif 000006
【図５】
0003817728.tif 000007
【図６】
0003817728.tif 000008
【図７】
0003817728.tif 000009
【図８】
0003817728.tif 000010
【図９】
0003817728.tif 000011
【図１０】
0003817728.tif 000012